(57)【特許請求の範囲】
【請求項１】
セット車と受座ブロックとの周りに印字ベルトを掛装したものを複数列並べた印字機構を複数組配置した多段印字装置において、
前記複数列並べた印字機構の列毎に、前記受座ブロック群が列の長さに対応した支承ケースに配設され、また、前記支承ケースが前記多段印字装置の枠板間において印字方向に出没可能に配置され、更に、前記支承ケースの開口しているのとは反対側の外面を押す手段が、前記枠板間で回転角度位置を半固定できる長ネジの中間に固定された偏芯カムであることを特徴とする多段印字装置。
【発明の詳細な説明】
【０００１】
【発明の属する技術分野】
本発明は、ハンドラベラーにおける主動アームの先端に取り付けられ、該アームの把握・釈放動作に連動して、インクローラーと摺接した後にラベルへ多段（複数行）の印字を行う多段印字装置に関する。
【０００２】
【従来の技術】
ラベルに対して多段（複数行）の印字を行う多段印字装置においては、印字機構の機構的なバラツキにより、段（行）にとって印字濃度に差が生じることがあった。
【０００３】
【発明が解決しようとする課題】
複数の印字機構が枠板間で夫々固定保持されて多段印字装置が構成され、固定保持と同時に各印字機構の相対関係が決定してしまって、関係を変えられない。
【０００４】
【課題を解決するための手段】
請求項１に記載の多段印字装置は、セット車と受座ブロックとの周りに印字ベルトを掛装したものを複数列並べた印字機構を複数組配置した多段印字装置において、前記複数列並べた印字機構の列毎に、前記受座ブロック群が列の長さに対応した支承ケースに配設され、また、前記支承ケースが前記多段印字装置の枠板間において印字方向に出没可能に配置され、更に、前記支承ケースの開口しているのとは反対側の外面を押す手段が、前記枠板間で回転角度位置を半固定できる長ネジの中間に固定された偏芯カムである。
【０００５】
【作用】
各列毎の印字機構における支承ケースが印字方向に出没可能であるから、相対的に印字濃度の薄い印字機構は支承ケースを印字方向に押し出させ、印字濃度の濃い印字機構は支承ケースを印字方向に潜没させ、その相対調整によって各列毎の印字機構の印字濃度を揃えることが出来る。
【０００６】
【発明の実施の形態】
以下、本発明の一実施例を図面に基づいて説明する。
【０００７】
図１は、多段（３段）印字装置の一部部品を省略した展開斜視図であり、図２は、図１における要部の拡大展開斜視図である。
【０００８】
本発明の多段印字装置は、枠板１０，２０が対向状に組み合わせて構成され、その間に３組の印字機構が配置されている。
【０００９】
枠板１０には、見出し窓の仕切となる梁１１ａ，１１ｂと、図示していない回転摘みの挿入孔１２ａ，１２ｂ，１２ｃと、円筒状のボス１３ａ，１３ｂ，１３ｃと、一対３組のガイド衝立１４ａ，１４ｂ，１４ｃ（一方は図面上見えない）と、ガイド溝１５ａ，１５ｂ，１５ｃとが形成されている。
【００１０】
枠板２０には、梁１１ａ，１１ｂの先端を止める時のビス孔２１ａ，２１ｂと、図示していないセット軸の一番奥に押し込まれた時の挿入孔１２ａ，１２ｂ，１２ｃに対向した面側の受部２２ａ，２２ｂ，２２ｃと、円筒状のボス（２３ａ），（２３ｂ），２３ｃと、一対３組のガイド衝立（２４ａ），（２４ｂ），２４ｃ（一方は図面上見えない）と、ガイド溝２５ａ，２５ｂ，２５ｃとが形成されている。
【００１１】
枠板１０，２０の間隔は、後述する印字機構の幅に対応するように梁１１ａ，１１ｂの長さで決めらているが、ボス１３，２３の高さは短く、夫々（ａ同志，ｂ同志，ｃ同志）間隔をとって対向し、また、枠板２０のボス２３を立てた裏側が後述するビスの頭のために丸くえぐられているように、枠板１０のボス１３を立てた裏側も後述するナットのために丸くえぐられている。
【００１２】
印字機構は、セット車３０と、回転受駒４０ａ，押杆４０ｂ及び圧縮バネ４０ｃとからなる受座ブロック４０との周りに印字ベルト５０を掛装したものを複数組並べて構成される。
【００１３】
受座ブロック４０群は、バラバラにならず、且つ、隣接部で干渉しないように、一方が開口した矩形容器状の支承ケース６０に対してスペーサー７０を介在されて配列され、また、支承ケース６０の開口側に回転受駒４０ａが、底側に圧縮バネ４０ｃが夫々並び、更に、支承ケース６０には開口側における回転受駒配列方向の両端面に軸孔を穿った突出６０ａ，６０ａが形成され、該突出６０ａ，６０ａ間に充分な長さの受駒ピン８０により回転受駒４０ａとスペーサー７０を交互に支承することで、支承ケース６０への組み込み全体がユニット化され、該ケース６０の両側に受駒ピン８０が突出する。
【００１４】
一方、セット車３０群は、図示していないセット軸に支承され、印字ベルト５０群は、具体的には、セット車３０群と受座ブロック４０群における回転受駒４０ａ群の周囲に掛装され、回転受駒４０ａが印字ベルト５０における実際に印字の働きをする印面（回転摘みよって見出し窓で選択されたものに対応する）の裏側に位置する。
【００１５】
枠板１０，２０間で、印字機構におけるユニット化された支承ケース６０は、開口側とは反対側の外面両角が、対向する夫々一対のガイド衝立１４及び２４に遊嵌し、開口側の受駒ピン８０の突出した両端が、対向するガイド溝１５及び２５に遊嵌して、支承ケース６０全体が印字方向（回転受駒の外側に位置する印字ベルトの印面が対向する記録媒体に対して近づいたり遠ざかったりする方向）に出没可能になっている。
【００１６】
印字機構を枠板１０，２０間に挟んで止める時に、ビス９０ａ，９０ｂ，９０ｃの先端を、枠板２０における円筒状のボス（２３ａ），（２３ｂ），２３ｃの外側から挿入して、枠板１０における円筒状のボス１３ａ，１３ｂ，１３ｃの外側に突出させてナット１００ａ，１００ｂ，１００ｃで止める過程において、ボス同志が対向する間に偏芯カム１１０ａ、１１０ｂ，１１０ｃを介在させる。
【００１７】
ビス９０と偏芯カム１１０との連結は、非円形（略半月）の廻り止め結合にしてあるので、両者は一体に回転するものであり、偏芯カム１１０は夫々支承ケース６０における開口側とは反対側の外面の中央部に当接する状態を採る。
【００１８】
この３段型を例とした多段印字装置は、図示していないハンドラベラーにおける主動アームの先端に取り付けられ、該アームの把握・釈放動作に連動して、インクローラーと摺接した後にラベルへ多段（３行）の印字を行うものである。
【００１９】
この多段印字装置がハンドラベラーに組み込まれた調整段階において、テスト印字の結果、印字機構の機構的なバラツキにより、印字の３段（行）を比較して印字の薄い段の印字機構については、ナット１００を緩めて偏芯カム１１０が支承ケース６０を押し出せる方向にビス９０を回転させて、一方、印字の濃い段の印字機構については、ナット１００を緩めて偏芯カム１１０が支承ケース６０を押し出している量を潜没させる方向にビス９０を回転させて、夫々その後ナット１００を再び締め付けて、ボス１３，２３間に偏芯カム１１０を挟み込み、ビス１１０を固定する。
【００２０】
なお、支承ケース６０が潜没する方向の作用力は、印字ベルト５０の復元力であり、前記の調整によって、印字のバランスが図れ、片方の調節で足りる場合もある。
【００２１】
また、以上の説明において、カッコを付けた符号は、存在するのであるが、図面上見えないものを表し、図面上存在しない符号は、それにアルファベットが付いたものを代表して表している。
【発明の効果】
本発明は、印字機構を複数列配置した多段印字装置において、各列を比較して印字濃度に差があった場合には、各列毎に支承ケースが印字方向に出没可能になっているので、結果的に印面を出没させる調節が行え、全体の印字濃度を揃えられ、印字機構の機構的なバラツキを吸収出来て頗る有効なものである。
【図面の簡単な説明】
【図１】本発明の多段（３段）印字装置の一部部品を省略して示した一実施例の展開斜視図である。
【図２】図１における要部の拡大展開斜視図である。
【符号の説明】
１０・・・枠板
１３ａ，１３ｂ，１３ｃ・・・円筒状のボス
１４ａ，１４ｂ，１４ｃ・・・各一対のガイド衝立
１５ａ，１５ｂ，１５ｃ・・・ガイド溝
２０・・・枠板
２３ｃ・・・円筒状のボス
２４ｃ・・・各一対のガイド衝立
２５ａ，２５ｂ，２５ｃ・・・ガイド溝
３０・・・セット車
４０・・・受座ブロック
４０ａ・・・回転受座
５０・・・印字ベルト
６０・・・支承ケース
８０・・・受座ピン
９０ａ，９０ｂ，９０ｃ・・・ビス
１００ａ，１００ｂ，１００ｃ・・・ナット
１１０ａ，１１０ｂ，１１０ｃ・・・偏芯カム
【図１】
0004505099.tif 000002
【図２】
0004505099.tif 000003